(57)【要約】【課題】床側から見上げた場合における圧迫感を低減することのできる照明器具を提供する。【解決手段】２本の直管型の蛍光ランプ４をそれぞれ着脱自在に保持する二対のソケット１０及び各蛍光ランプ４を点灯させる点灯装置１１を有し、壁面Ａと対向するように配設される器具本体１と、器具本体１に取り付けられて器具本体１を挟んで壁面Ａと反対側に配設される遮光板２と、壁面Ａに取り付けられて壁面Ａと遮光板２との間に所定の間隔を空けるように遮光板２及び器具本体１を支持する一対の支持部３とから成り、器具本体１の壁面Ａと対向する取付面１２の長手方向における両端部に、それぞれ２つずつソケット１０を上下方向に沿って並設した。【選択図】図１
2008192424.tif 000002
【特許請求の範囲】
【請求項１】
光源を保持する複数の保持部材及び光源を点灯させる点灯装置を有し、壁面と対向するように配設される器具本体と、器具本体に取り付けられて器具本体を挟んで壁面と反対側に配設される遮光板と、壁面に取り付けられて壁面と遮光板との間に所定の間隔を空けるように遮光板及び器具本体を支持する複数の支持部とを備えた照明器具であって、保持部材は、器具本体における壁面と対向する面に設けられ且つ天井と略鉛直な方向に沿って並設されることを特徴とする照明器具。
【請求項２】
前記支持部は、その内部に点光源を備え、点光源からの光を外部に採り出すための窓孔が設けられたことを特徴とする請求項１記載の照明器具。
【請求項３】
前記器具本体は、天井側の一端部から床側の一端部にかけて壁面に近づく方向に傾斜する傾斜部を有し、該傾斜部に保持部材が傾斜方向に沿って並設されることを特徴とする請求項１記載の照明器具。
【請求項４】
前記点灯装置は、器具本体内部に収納され、調光信号を点灯装置に送信するための信号線が何れかの支持部を通して接続され、点灯装置に電源を供給するための電源線が前記支持部と異なる支持部を通して接続されることを特徴とする請求項１記載の照明器具。
【発明の詳細な説明】
【技術分野】
【０００１】
本発明は、壁面に取付けられる間接照明用の照明器具に関する。
【背景技術】
【０００２】
従来から、光源を遮光して直接光を避け、天井や壁面などに反射させて間接光とする間接照明用の照明器具が知られており、例えば特許文献１に開示されているようなものがある。この照明器具は、図６に示すように、壁面に取り付けられる器具本体１００に装着された蛍光ランプ１０１を覆う照明カバーであって、蛍光ランプ１０１よりも天井側（図６における上側）に天井と平行に設けられて蛍光ランプ１０１からの光を反射する反射板１０２と、壁面と平行に設けられて蛍光ランプ１０１からの光を反射する遮光板１０３と、蛍光ランプ１０１よりも床側（図６における下側）に設けられて蛍光ランプ１０１からの光を透過させる透光板１０４とから成る。遮光板１０３は、蛍光ランプ１０１の遠方に配設される遠設遮光板１０３ａと、蛍光ランプ１０１の近傍に配設される近設遮光板１０３ｂとから成り、近設遮光板１０３ｂの方が遠設遮光板１０３ａよりも床側に配設される。透光板１０４は、遠設遮光板１０３ａと近設遮光板１０３ｂとの間を塞ぐ遠設透光板１０４ａと、近設遮光板１０３ｂと壁面との間を塞ぐ近設透光板１０４ｂとから成る。
【特許文献１】特開２００６−１９６３２７号公報
【発明の開示】
【発明が解決しようとする課題】
【０００３】
しかしながら、上記従来例では、床側から見上げた場合に反射板１０２、遮光板１０３、透光板１０４、器具本体１００によって投影面積が大きくなり、圧迫感が非常に大きいという問題があった。
【０００４】
本発明は、上記の点に鑑みて為されたもので、床側から見上げた場合における圧迫感を低減することのできる照明器具を提供することを目的とする。
【課題を解決するための手段】
【０００５】
請求項１の発明は、上記目的を達成するために、光源を保持する複数の保持部材及び光源を点灯させる点灯装置を有し、壁面と対向するように配設される器具本体と、器具本体に取り付けられて器具本体を挟んで壁面と反対側に配設される遮光板と、壁面に取り付けられて壁面と遮光板との間に所定の間隔を空けるように遮光板及び器具本体を支持する複数の支持部とを備えた照明器具であって、保持部材は、器具本体における壁面と対向する面に設けられ且つ天井と略鉛直な方向に沿って並設されることを特徴とする。
【０００６】
請求項２の発明は、請求項１の発明において、支持部は、その内部に点光源を備え、点光源からの光を外部に採り出すための窓孔が設けられたことを特徴とする。
【０００７】
請求項３の発明は、請求項１の発明において、器具本体は、天井側の一端部から床側の一端部にかけて壁面に近づく方向に傾斜する傾斜部を有し、該傾斜部に保持部材が傾斜方向に沿って並設されることを特徴とする。
【０００８】
請求項４の発明は、請求項１の発明において、点灯装置は、器具本体内部に収納され、調光信号を点灯装置に送信するための信号線が何れかの支持部を通して接続され、点灯装置に電源を供給するための電源線が前記支持部と異なる支持部を通して接続されることを特徴とする。
【発明の効果】
【０００９】
請求項１の発明によれば、器具本体を壁面と対向するように配設し且つ器具本体を挟んで壁面と反対側に遮光板を配設したので、床側から照明器具を見上げた場合に、器具本体が遮光板に隠れるために投影面積を削減することができ、したがって圧迫感を低減するとともに意匠性が損なわれるのを防ぐことができる。また、保持部材を天井と略鉛直な方向に沿って並設したので、天井側の光源が床側の光源によって隠れることで天井側の光源から照射される光を遮光することができ、したがって床側から見上げた場合に眩しくなるのを抑えることができる。
【００１０】
請求項２の発明によれば、支持部に点光源を備えたので、支持部の内部空間を有効に利用することができ、外観を損なうことなく光源を追加することができる。また、器具本体を大型化することなく光源を追加することができる。
【００１１】
請求項３の発明によれば、天井側の一端部から床側の一端部にかけて壁面に近づく方向に傾斜する傾斜部に保持部材を傾斜方向に沿って並設することで、床側から照明器具を見上げた場合に、天井側の光源が床側の光源及び器具本体の傾斜部によって隠れるため、天井側の光源から照射される光を遮光することができ、したがって床側から見上げた場合に眩しくなるのを抑えることができる。
【００１２】
請求項４の発明によれば、信号線と電源線とを互いに異なる支持部を通して点灯装置に接続しているので、信号線と電源線とが近接することが無く、したがって信号線と電源線とを近接させることによる信号線におけるノイズの発生を防ぐことができる。
【発明を実施するための最良の形態】
【００１３】
以下、本発明に係る照明器具の各実施形態について図面を用いて説明する。但し、以下の説明では、図１（ａ）における上下を上下方向と定めるものとする。
【００１４】
（実施形態１）
以下、本発明の実施形態１について図面を用いて説明する。本実施形態は、図１（ａ）に示すように、２本の直管型の蛍光ランプ４をそれぞれ着脱自在に保持する二対のソケット１０及び各蛍光ランプ４を点灯させる点灯装置１１を有し、壁面Ａと対向するように配設される器具本体１と、器具本体１に取り付けられて器具本体１を挟んで壁面Ａと反対側に配設される遮光板２と、壁面Ａに取り付けられて壁面Ａと遮光板２との間に所定の間隔を空けるように遮光板２及び器具本体１を支持する一対の支持部３とから成る。
【００１５】
器具本体１は、長手方向の長さが蛍光ランプ４の長手方向の長さと略一致するような箱体に形成され、壁面Ａと対向する取付面１２の長手方向における両端部には、それぞれ２つずつソケット１０が設けられている。ソケット１０は、各端部において上下方向に沿って並設されており、而して各蛍光ランプ４はその長手方向と略直交する方向と上下方向とが一致するように器具本体１の取付面１２に取り付けられる。器具本体１の内部には、ソケット１０を介して蛍光ランプ４を点灯するための点灯装置１１が備えられており、該点灯装置１１に設けられた電源用端子台１３に外部電源（図示せず）から引き回される電源線１３ａを接続することで、点灯装置１１に電源が供給されて蛍光ランプ４が点灯する。
【００１６】
遮光板２は、略矩形状の長尺の金属板から成り、短手方向の長さ及び長手方向の長さが何れも器具本体１の短手方向の長さ及び長手方向の長さよりも長く形成されている。また、遮光板２の長手方向における両端部には、図１（ｃ）に示すように、それぞれ壁面Ａに向かって突出する略直方体状の支持部３が一体に形成されており、該支持部３が壁面Ａに図示しない取付手段で取り付けられることで、器具本体１及び遮光板２が壁面Ａと所定の間隔を空けて支持されるようになっている。
【００１７】
ここで、従来のように器具本体１を壁面Ａに取り付けた場合は、図２（ｂ）に示すように、下側、即ち床側から見上げると器具本体１の大部分が視界に入るため、圧迫感を感じるとともに意匠性が損なわれる。これに対して本実施形態では、図２（ａ）に示すように、床側から見上げても器具本体１が遮光板２に隠れるために圧迫感が低減されるとともに意匠性が損なわれることがない。また、器具本体１の取付面１２に２本の蛍光ランプ４をその長手方向と略直交する方向と上下方向とが一致するように並設しているので上側、即ち天井側の蛍光ランプ４から照射される光が床側の蛍光ランプ４に遮られるので、床側に必要以上の光が照射することで眩しくなるのを抑えることができる。更には、器具本体１を壁面Ａから離して設置しているので、点灯装置１１の放熱性を向上することができ、したがって放熱性を高めるために器具本体１を大きくする必要が無い。また、従来のように器具本体１を壁面Ａに取り付ける場合には、長期間設置することで蛍光ランプ４及び点灯装置１１の発する熱によって壁面Ａが変色する虞があったが、本実施形態のように器具本体１を壁面Ａから離して設置することで、変色するのを防ぐことができる。
【００１８】
ところで、蛍光ランプ４を点灯させるには、外部電源から電源線１３ａを引き回して点灯装置１１に設けられた電源用端子台１３に接続する必要があり、蛍光ランプ４を調光制御する場合には、外部の調光器（図示せず）から信号線１４ａを引き回して点灯装置１１に設けられた調光用端子台１４に接続する必要がある。これら電源線１３ａ及び信号線１４ａを各端子台１３，１４に接続する際には、信号線１４ａにノイズが発生しないように電源線１３ａと信号線１４ａとが近接しないように引き回す必要がある。
【００１９】
そこで、図４に示すように、一方（図４における右方）の支持部３に電源線１３ａを挿通させるための挿通孔（図示せず）を貫設し、他方（図４における左方）の支持部３に信号線１４ａを挿通させるための挿通孔（図示せず）貫設することで、電源線１３ａ及び信号線１４ａを各々互いに異なる支持部３の挿通孔を通して点灯装置１１の各端子台１３，１４に接続することができる。このため、電源線１３ａと信号線１４ａとが近接しないように引き回すことができ、信号線１４ａにノイズが発生するのを防止することができる。
【００２０】
尚、各支持部３の内部に点光源である白熱電球（図示せず）を有する点光源ブロック５を設けてもよい。点光源ブロック５は、図３（ａ）に示すように、白熱電球と、白熱電球を覆い且つ白熱電球から照射される光を反射する略椀状の反射カバー５０とから成り、支持部３の内側に設けられたスペースに配設される。支持部３の内側には、白熱電球５を着脱自在に装着可能なソケット３１が設けられており、支持部３の下面には白熱電球５からの光を外部に採り出すための略円形状の窓孔３０が設けられている（図３（ｂ）参照）。而して、支持部３の内部空間を有効に利用することで外観を損なうことが無く、また、器具本体１を大型化することなく光源を追加することができる。
【００２１】
また、遮光板２の器具本体１が当接していない下端部又は上端部において長手方向に亘ってスリット（図示せず）を設けてもよい。この場合、壁面Ａで反射する蛍光ランプ４から照射される光がスリットを通して遮光板２を挟んだ壁面Ａの反対側に照射されるので、演出効果を高めることができる。
【００２２】
（実施形態２）
以下、本発明の実施形態２について図面を用いて説明する。但し、本実施形態の基本的構成は実施形態１と共通であるので、共通する部分には同一の符号を付して説明を省略する。本実施形態は器具本体１に特徴があり、図５に示すように、器具本体１の壁面Ａと対向する面が、上端から下端にかけて壁面Ａに向かう方向に傾斜した傾斜面１５となっている。該傾斜面１５の長手方向における両端部には、実施形態１と同様に、それぞれソケット１０が２つずつ設けられており、各ソケット１０は傾斜面１５の傾斜方向に沿って並設されている。
【００２３】
上述のように構成することで、天井側の蛍光ランプ４から照射される光が床側の蛍光ランプ４及び傾斜面１５に遮られるので、実施形態１よりも更に床側に照射される光を抑えることができる。特に、本実施形態を寝室の壁面に取り付ける場合、下方向に照射される光は、床側の蛍光ランプ４から照射される光が壁面Ａで反射した間接光のみとなり、就寝時に眩しさを感じることが無いので極めて有効である。
【図面の簡単な説明】
【００２４】
【図１】本発明の実施形態１の照明器具を示す図で、（ａ）は断面図で、（ｂ）は全体斜視図で、（ｃ）は下面図である。
【図２】同上の下から見上げた場合を示す図で、（ａ）は本実施形態の断面図で、（ｂ）は従来例の断面図である。
【図３】同上の支持部に点光源を設けた場合を示す図で、（ａ）は壁面側から見た平面図で、（ｂ）は下面図である。
【図４】同上の支持部毎に電源線及び信号線を設けた場合を示す概略図である。
【図５】本発明の実施形態２の照明器具を示す断面図である。
【図６】従来の照明器具を示す断面図である。
【符号の説明】
【００２５】
１  器具本体
１０  ソケット（保持部材）
２  遮光板
３  支持部
４  蛍光ランプ（光源）
Ａ  壁面
【図１】
2008192424.tif 000003
【図２】
2008192424.tif 000004
【図３】
2008192424.tif 000005
【図４】
2008192424.tif 000006
【図５】
2008192424.tif 000007
【図６】
2008192424.tif 000008